(57)【特許請求の範囲】
【請求項１】
受領者情報を記入する受領票部と配送先情報を記入する一つの宛名部とを表面に有し、裏面の一部に粘着部を有する情報記入シートと、このシートの粘着部形成面を被覆する被覆シートとで構成され、
前記受領票部及び宛名部が、それぞれ切り剥がし補助線で囲まれて、情報記入シートの他の部分から個別に切り剥がし可能とされ、
前記粘着部が、受領票部の裏面を除き、少なくとも受領票部外周縁部の裏面と宛名部の裏面と宛名部外周縁部の裏面にあり、
前記情報記入シートから被覆シートを剥離することにより、前記各粘着部が露出され、これらの粘着部により前記受領票部及び宛名部が配送物に対して貼付可能となるとともに、配送物に貼付した後に裏面に粘着部を有さない受領票部が切り剥がし補助線を介して配送物から剥離可能となる受領票付送付状となり、
宛名部のみを切り剥がし補助線で切り剥がして情報記入シートのその他の部分と被覆シートから分離することにより、宛名部裏面の粘着部を介して配送物に剥離不能に貼付可能な受領票無しの宛名ラベルとなる、ことを特徴とする配送ラベル。
【請求項２】
宛名部が略矩形であり、その隅部の一つが剥がし口とされ、かつ、その剥がし口から延在する二辺を構成する切り剥がし補助線が、剥がし口から遠ざかる方向に向かって切断されやすいジッパーミシン目線である、請求項１記載の配送ラベル。
【請求項３】
宛名部の略矩形であり、四隅のうち少なくとも一つの隅部の裏面に粘着剤の粘着力がない部分を有する請求項１又は２記載の配送ラベル。
【請求項４】
受領票部と宛名部との間が離間しており、その離間部分の裏面に粘着部があり、かつ、前記宛名部を囲む切り剥がし補助線のうち前記離間部分に隣接する部分がハーフスリットで構成されている請求項１〜３の何れか１項に記載の配送ラベル。
【請求項５】
受領票部と宛名部とその外周縁部とを含む領域を囲む切り剥がし補助線を有し、この切り剥がし補助線で囲まれる部分が、情報記入シートの他の部分と被覆シートとから分離可能とされている、請求項１〜４の何れか１項に記載の配送ラベル。
【発明の詳細な説明】
【技術分野】
【０００１】
本発明は、配送先情報を記入して、配送物品に貼付する配送ラベルに関する。
【背景技術】
【０００２】
通販を行なう企業では物流センターなどから、顧客や消費者に向けて、注文を受けた商品を発送するほか取扱商品の広告・資料やサンプル品を配送することがある。注文商品を発送する場合には受け取り記録が残る受領票付送付状を用いて宅配便とし送付し、取扱商品の広告・資料やサンプル品を発送する場合には受け取り記録の残らない配送料金の安価なメール便を用いて送付するようにしている。
【０００３】
物品を送付する場合、宛名等の送付先情報を印刷した配送ラベルを物品に貼付するが、通販を行なう企業では、配送ラベルについては、宅配便用の受領票付送付状とメール便には宛名ラベルとを別々に準備するか、宅配便送付状をそのままメール便に兼用して対応している。
【０００４】
しかし、受領票付送付状と宛名ラベルとを別々に使用する場合、受領票付送付状と宛名ラベルの使用状況や残数に応じて、配送ラベル製造業者に別途に追加受注しなければならないなど、配送ラベルの在庫管理が煩雑という問題があった。
【０００５】
また、配送ラベルは、商品等に貼付するための粘着層とこれを保護する剥離シートとを有し、厚みがあるとともに積層構造であるから、宛名情報等の顧客データの印刷は、係る積層構造のシートに適したフォーム印刷やＮＩＰ印刷が用いられるのが一般的であり、配送ラベルの印刷時の形態は連続帳票であることがほとんどである。フォーム印刷等は、紙送り機能がマージナル孔によるものであるため連続帳票を入れ替えるのに手間がかかるうえ、その都度に印刷位置データの設定を変更する必要があり、受領票付層状と宛名ラベルをそれぞれ用意して使い分ける態様は、配送先情報を印刷する観点からも煩雑さがあった。
【０００６】
他方、宅配便送付状とメール便とを兼用する場合、メール便が封筒型であったり、荷姿が小さいものであったりするため、配送物に対して送付状が大きすぎる場合がある問題があった。また、受領票が付いたままでの使用となるため、受領確認が必要のないメール便にもかかわらず、配達業者や受領者が受領確認が必要であると誤って認識し混乱するおそれがあった。
【先行技術文献】
【特許文献】
【０００７】
【特許文献１】特開２００１−２７２９１４号公報
【特許文献２】特開２００２−２８８２９１号公報
【特許文献３】特開２００６−２１５１２４号公報
【発明の概要】
【発明が解決しようとする課題】
【０００８】
そこで、本発明の主たる課題は、宅配便送付状のような受領票を必要とする受領票付送付状としても、メール便に用いるような受領票を必要としない送付状としても問題が生ずることなく利用できる、利便性の高い配送ラベルを提供することにある。
【課題を解決するための手段】
【０００９】
上記課題を解決した本発明は以下のとおりである。
＜請求項１記載の発明＞
受領者情報を記入する受領票部と配送先情報を記入する一つの宛名部とを表面に有し、裏面の一部に粘着部を有する情報記入シートと、このシートの粘着部形成面を被覆する被覆シートとで構成され、
前記受領票部及び宛名部が、それぞれ切り剥がし補助線で囲まれて、情報記入シートの他の部分から個別に切り剥がし可能とされ、
前記粘着部が、受領票部の裏面を除き、少なくとも受領票部外周縁部の裏面と宛名部の裏面と宛名部外周縁部の裏面にあり、
前記情報記入シートから被覆シートを剥離することにより、前記各粘着部が露出され、これらの粘着部により前記受領票部及び宛名部が配送物に対して貼付可能となるとともに、配送物に貼付した後に裏面に粘着部を有さない受領票部が切り剥がし補助線を介して配送物から剥離可能となる受領票付送付状となり、
宛名部のみを切り剥がし補助線で切り剥がして情報記入シートのその他の部分と被覆シートから分離することにより、宛名部裏面の粘着部を介して配送物に剥離不能に貼付可能な受領票無しの宛名ラベルとなる、ことを特徴とする配送ラベル。
【００１０】
＜請求項２記載の発明＞
宛名部が略矩形であり、その隅部の一つが剥がし口とされ、かつ、その剥がし口から延在する二辺を構成する切り剥がし補助線が、剥がし口から遠ざかる方向に向かって切断されやすいジッパーミシン目線である、請求項１記載の配送ラベル。
【００１１】
＜請求項３記載の発明＞
宛名部の略矩形であり、四隅のうち少なくとも一つの隅部の裏面に粘着剤の粘着力がない部分を有する請求項１又は２記載の配送ラベル。
【００１２】
＜請求項４記載の発明＞
受領票部と宛名部との間が離間しており、その離間部分の裏面に粘着部があり、かつ、前記宛名部を囲む切り剥がし補助線のうち前記離間部分に隣接する部分がハーフスリットで構成されている請求項１〜３の何れか１項に記載の配送ラベル。
【００１３】
＜請求項５記載の発明＞
受領票部と宛名部とその外周縁部とを含む領域を囲む切り剥がし補助線を有し、この切り剥がし補助線で囲まれる部分が、情報記入シートの他の部分と被覆シートとから分離可能とされている、請求項１〜４の何れか１項に記載の配送ラベル。
【発明の効果】
【００１４】
以上のとおり、本発明によれば、宅配便送付状のような受領票を必要とする受領票付送付状としても、メール便に用いるような受領票を必要としない宛名ラベルとしても問題が生ずることなく利用できる、利便性の高い配送ラベルが提供される。
【図面の簡単な説明】
【００１５】
【図１】本発明の実施形態の配送ラベルの正面図である。
【図２】図１のＡ−Ａ断面であり、本発明の実施形態の配送ラベルの断面図である。
【図３】本発明の実施形態の配送ラベルの裏面図である。
【図４】本発明の情報記入シートの裏面図であり、粘着剤の塗布部分を説明するための図である。
【図５】本発明に係る配送ラベルを受領票付送状として使用する態様を平面で説明する図である。
【図６】本発明に係る配送ラベルを受領票付送状として使用する態様を断面で説明する図である。
【図７】本発明に係る配送ラベルを宛名ラベルとして使用する態様を平面で説明する図である。
【図８】本発明に係る配送ラベルを宛名ラベルとして使用する態様を断面で説明する図である。
【図９】本発明の配送ラベルに係る連続帳票を説明するための平面図である。
【発明を実施するための形態】
【００１６】
本発明の実施の形態に係る配送ラベルＸ１を図１〜図９に示す。
本実施の形態に係る配送ラベルＸ１は図１〜４に示すように、表面に受領者情報を記入する受領票部１０と配送先情報を記入する宛名部２０とを有し、裏面の一部に粘着部３０を有する情報記入シート１と、この情報記入シート１の裏面の粘着部３０を被覆・保護する被覆シート２とで構成されている。
【００１７】
前記情報記入シート１は、クラフト紙、上質紙、グラシン紙、パーチメント紙、レーヨン紙、コート紙、合成紙、樹脂フィルムがラミネートされた紙等を基紙１Ａとして、その一方面の後述する位置に粘着部３０を配したものである。
【００１８】
情報記入シート１は、配送ラベルＸ１の表面となるため、雨に打たれる可能性を考慮し、その基紙１Ａについては、特に紙である場合には、湿潤紙力増強剤を内添もしくは外添させた素材が好ましい。
【００１９】
なお、情報記入シート１の基紙１Ａの厚さは、５０〜３００μｍとすると表面平滑性の点で有利であり印刷の点で望ましい。
【００２０】
粘着部３０を形成するための粘着剤は、ホットメルト系、ゴム系、ＥＶＡ系、オレフィン系、ポリエステル系、ポリアミド系、ウレタン系等の既知の材料から適宜選定可能である。なかでもホットメルト系粘着剤が好ましい。ホットメルト系粘着剤は、乾燥工程の省略が可能となり、生産性が向上する。
【００２１】
なお、本発明における粘着部３０は、貼付対象物に対して剥離不能に接着するものを意味する。すなわち、被覆シート２から剥離された際に接着性・粘着性を示さない擬似接着剤により形成される部分や、当該粘着部を介して対象物に貼付した後に、その対象物から容易に剥離可能に接着する再剥離性の粘着部は含まれない。
【００２２】
粘着部３０の厚さは、特に限定はされないが、５〜５０μｍ、好ましくは１０〜３０μｍである。５μｍ未満だと粘着力が小さく、十分な強度で粘着しない可能性が高くなり、５０μｍを超えると粘着力は高くならず、配送ラベル全体としての平滑性が低下し印刷性が低下する。
【００２３】
情報記入シート１に粘着部３０を形成する方法は、バーコート法、ナイフコート法、ロールコート法、ブレードコート法、ダイコート法、グラビアコート法や凸版印刷、グラビア印刷、孔版印刷等の各種印刷方式等を用いることができる。
【００２４】
他方、被覆シート２は、情報記入シート１の前記粘着部３０を被覆保護するシートであり、粘着部３０に対して剥離可能な状態で接着するものが用いられる。図示の形態では、各粘着部３０を一体で覆う一枚のシートとしている。
【００２５】
この被覆シート２の具体例としては、クラフト紙、上質紙、グラシン紙、パーチメント紙、レーヨン紙、コート紙、合成紙等の基紙に、シリコーン、長鎖アルキルポリマー、ポリオレフィン、アルキド樹脂、フッ素化合物等の既知の剥離剤を適宜のパターンで印刷した剥離紙や、樹脂フィルムをラミネートして樹脂層面を剥離面としたラミネート紙、或いは、樹脂製フィルムシートなどが挙げられる。
【００２６】
他方、情報記入シート１の表面の受領票部１０は、個々の受取人の住所・氏名等の受領者情報を記入するための欄・枠及びその各欄・枠内に記入すべき情報を指定する指定情報が予め印刷されている（これらの予め印刷される欄・枠や指定情報等を以下、不変情報ともいう）部分であり、前記宛名部２０は、個々の配送先（受取人）の住所・氏名等の配送先情報を記入するための欄・枠及び各欄・枠内に記入すべき情報を指定する指定情報等の不変情報が予め印刷されている部分である。
【００２７】
上記欄・枠及び各欄・枠内に記入すべき情報を指定する指定情報の印刷は、顔料系、染料系の既知の各色インキを用い、凸版印刷、グラビア印刷、孔版印刷等の既知の各種印刷方式により印刷して形成される。もちろん、印刷インキだけでなく、インクジェットインキやレーザープリンターのトナー等による印刷でもよい。
【００２８】
他方、受領票部１０及び宛名部２０は、それぞれ切り剥がし補助線１１，２１で囲まれることで、情報記入シート１の他の部分から個別に切り剥がし可能となっている。切り剥がし補助線１１，２１は、ミシン目線又は適宜の位置にアンカット部を設けたハーフスリット線が例示できる。但し、全てをハーフスリット線で構成すると、情報記入シートと被覆シートとを分離する際に、被覆シートに受領票部或いは宛名部が意図せず残るおそれがあるため望ましくない。
【００２９】
他方、情報記入シート１の粘着部３０は、図４に示すように、受領票部１０の裏面を除き、受領票部１０の外周縁部の裏面と宛名部２０の裏面と宛名部２０の外周縁部の裏面に位置されている。
【００３０】
本形態の配送ラベルＸ１は、以上の構成をとることで、（Ａ）図５及び図６に示すように、情報記入シート１から被覆シート２の全体を剥離した場合には、情報記入シート１の裏面の各粘着部全てにより配送物５０に対して貼付可能となるとともに、配送物５０に貼付した後には、裏面に粘着部３０を有さない受領票部１０が切り剥がし補助線１１で切り剥がすことで、配送物５０及び情報記入シート１の他の部分から分離することが可能となる。このとき受領票部１０の外周縁部が粘着部３０を介して配送物５０に接着されているため、その分離操作は容易に行える。
【００３１】
そして、本実施形態の配送ラベルＸ１は上記（Ａ）の態様のほかに、（Ｂ）図７及び図８に示すように、宛名部２０のみを切り剥がし補助線２１で切り剥がして情報記入シート１のその他の部分と被覆シート２から分離した場合には、宛名部１０の裏面には粘着部３０があるため、そのまま封筒６０に剥離不能に貼付可能となる。
【００３２】
すなわち、上記（Ａ）態様で使用すると受領票付送付状となり、（Ｂ）態様で使用するとメール便等に適する受領票のない単なる宛名ラベルとなる。
【００３３】
ここで、図示例の本実施形態の配送ラベルＸ１は、好ましい形態として、受領票部１０と宛名部２０がやや離間して並ぶようにして配列され、その受領票部１０と宛名部２０との離間部分２５の裏面に粘着部３０が位置されている。なお、図示例では受領票部１０と宛名部２０とは、好ましく左右に離間して配列しているがこれに限定されない。受領票部１０と宛名部２０との離間距離は限定されるものではないが、少なくとも１ｍｍ以上、上限はデザイン性等や配送ラベルとしての使い勝手を考慮して適宜定めればよい。このように受領票部１０と宛名部２０とが離間し、切り剥がし補助線１１，２１を共有しないことで、宛名ラベルとして使用するにあたり、宛名部２０のみを被覆シート２及び情報記入シート１の他の部分から分離する際に、隣接する受領票部１０がつられて剥離されるおそれがなくなり、使用の利便性が向上する。
【００３４】
また、本実施形態の配送ラベルＸ１は、より好ましい形態として、受領票部１０及び宛名部２０が切り剥がし補助線１１，１で略矩形に囲まれることで、受領票部１０及び宛名部２０ともに略矩形となっており、その宛名部２０の四隅のうち、受領票部１０から遠い位置にある隅の一つ（図示例では左上隅）の隅部が剥がし口２２として指定されている。この、剥がし口２２の指定は、剥がし口２２を示唆する指定情報を不変情報として印刷するようにしてもよいし、コーナーカット部を設けることで直感的に理解できるようにしてもよい。
【００３５】
また、このように剥がし口２２となる隅部には、図４に示されるとおり粘着剤３０を部分的に設けないか、或いは粘着剤の粘着力を殺す糊殺し部を形成しておくのがよい（この部分を符号３１で示す）。このようにすることで、剥がし口２２が摘みやすくなる。
【００３６】
そして、剥がし口２２を設ける場合には、その剥がし口２２から延在する二辺を構成する切り剥がし補助線２１Ａ，２１Ｂを、剥がし口２２から遠ざかる方向に向かって切断されやすいジッパーミシン目線とするのがよい。なお、ジッパーミシン目線は、カット部が略Ｌ字、或いは略Ｙ字に並ぶように配置した既知のものとすることができる。
【００３７】
このように剥がし口２２を指定し、切り剥がし補助線２１の所定の辺２１Ａ，２１Ｂをジッパーミシン目線で形成することで、宛名部１０を宛名ラベルとして使用するにあたり被覆シート２及び情報記入シート１の他の部分から分離する操作がしやすくなる。
【００３８】
また、上述の受領票部１０から遠い位置にある隅の一つを剥がし口２２とした場合、宛名部１０を囲む切り剥がし補助線２１のうち、受領票部１０との離間部分２５に位置する部分２１Ｃについてはハーフスリット線で構成するのがよい。剥がし口２２から切り剥がしを行なう場合には、切り剥がし線補助線２１のうち剥がし口２２に近い線２１Ａ，２１Ｂから切り剥がしが進み、最後に当該部分２１Ｃが切り剥がされて宛名部１０が分離される。ハーフスリット線は、ミシン目線よりも弱い力で他の部分から分離できるため、受領票部との離間部分に位置する部分２１Ｃがハーフスリット線となっていると、剥がし口２２から延在する２辺の切り剥がし補助線２１Ａ，２１Ｂがミシン目線（好ましくはジッパーミシン目線）であっても、宛名ラベルの分離作業がしやすくなるとともに、受領票がつられて剥離されるおそれが格段に低くなる。但し、ハーフスリット線は、意図しない剥離のおそれも高まるため、ハーフスリット線の長さに応じて適宜の箇所に１ｍｍ未満のアンカット部を設けてもよい。
【００３９】
＜その他の実施形態＞
上記実施形態は、情報記入シート１と被覆シート２とを分離することで、受領票付送付状となる形態であるが、受領票部１０と宛名部２０とその外周縁部とを含む領域を、ミシン目線或いはハーフスリット線などの切り剥がし補助線で囲み、この切り剥がし補助線で囲まれる部分を、情報記入シートの他の部分と被覆シートとから分離可能とし、当該分離によって受領票付送付状となるようにしてもよい。
【００４０】
また、本発明に係る配送ラベルＸ１は、図９に示すように、複数がミシン目線７０等を介して分離可能に連接し、側部にマージナル孔８０を有する、フォーム印刷、ＮＩＰ印刷用の連続帳票を構成するものである場合に、特にその効果が顕著に発揮される。
【符号の説明】
【００４１】
Ｘ１…配送ラベル、１…情報記入シート、１Ａ…情報記入シートの基紙、２…被覆シート、１０…受領票部、１１…切り剥がし補助線、２０…宛名部、２１（２１Ａ〜２１Ｃ）…切り剥がし補助線、２２…剥がし口、２５…離間部分、３０…粘着部、５０…配送物、６０…封筒。
【図１】
0005960453.tif 000002
【図２】
0005960453.tif 000003
【図３】
0005960453.tif 000004
【図４】
0005960453.tif 000005
【図５】
0005960453.tif 000006
【図６】
0005960453.tif 000007
【図７】
0005960453.tif 000008
【図８】
0005960453.tif 000009
【図９】
0005960453.tif 000010